(57)【要約】      （修正有）【課題】一端部の継手に水道配管又は他の水回り機器との接続配管が接続される配管接続部材であって、製造コストが低くこじり力に対する強度低下が抑制された配管接続部材を提供する。【解決手段】一端部と中央部を一体成形した主弁体１０と、主弁体１０の２次側に位置する他端部６５と、蓋５０とを有し、主弁体１０は、ねじ継手構造をした一端部１１と主弁体１０を固定するためのフランジ１７を有し、ねじ継手構造をした一端部１１とフランジ１７の間には強度補強部１２を有する配管接続部材。【選択図】図１
2015075207.tif 000002
【特許請求の範囲】
【請求項１】
ねじ継手とフランジ部と強度補強部を有した主弁体と、他端部と、ストレーナを形成した蓋を備え、フランジ部を水周り機器に固定することにより前記水周り機器に取付けられ、ねじ継手部に水道配管等の給水源が接続されることを特徴とした配管接続部材。
【請求項２】
他端部に、ゴム等のシール部材を内蔵した弁棒と、弁棒を常には突き出すためのばねとを設け、弁棒に内蔵されたシール部材が主弁体の弁座に当接することで逆止機能を有する請求項１に記載の配管接続部材。
【請求項３】
逆止機能の2次側に水抜き孔を有する請求項２に記載の配管接続部材。
【請求項４】
主弁体と他端部は、２本のピンで接続され、その取付け方法は１８０度対象となっている請求項１〜３のいずれか記載の配管接続部材。
【請求項５】
主弁体と他端部を接続するピンは、主弁体の外周より内面に収まることを特徴とした請求項４に記載の配管接続部材。
【請求項６】
ピンを抜くための凹み部を主弁体に備えた請求項５に記載の配管接続部材
【請求項７】
主弁体軸と他端部軸が同一線上ではなく、ストレーナ口面が主弁体軸と他端部軸の中間に位置することを特徴とした請求項１〜６いずれか記載の配管接続部材。
【請求項８】
請求項１〜７いずれか記載の配管接続部材を備え、
前記配管接続部材を介して水道配管から供給された水を加熱し、浴槽へ供給する電気給湯機。
【発明の詳細な説明】
【技術分野】
【０００１】
本発明は、給水回路に用いられる配管接続部材に関する。
【背景技術】
【０００２】
従来、特許文献１に示されるように、入水継手である配管接続部材は、一端部と他端部とに継手を有し、少なくとも一端部を除く中央部と他端部とが樹脂製の筒体と、一端部の継手の基部に係止すると共に、筒体中央部を覆って当該中央部に係止する板金製筒体とを備え、配管接続時の締め付け力に対し、強度を有する構造となっていた。
【先行技術文献】
【特許文献】
【０００３】
【特許文献１】特開２００９−２５０２７７号公報
【発明の概要】
【発明が解決しようとする課題】
【０００４】
しかしながら、板金製筒体の製造は板金の絞り加工を必要とするため製造コストが高い。また、一端部と他端部と中央部と蓋の４つの樹脂成形品で構成されていることも高いコストの要因となっている。
【０００５】
そこで、本発明は、板金製筒体を有していなくても十分な強度を有し、且つ構成部品数を削減することにより低コスト化を実現した配管接続部材を提供することを目的とする。
【課題を解決するための手段】
【０００６】
上記目的は、ねじ継手とフランジ部と強度補強部を有した主弁体と、他端部と、ストレーナを形成した蓋を備え、フランジ部を水周り機器に固定することにより前記水周り機器に取付けられ、ねじ継手部に水道配管等の給水源が接続されることを特徴とした配管接続部材により達成される。
【発明の効果】
【０００７】
本発明によれば、板金製筒体を不要とし、従来技術で分けられていた一端部と中央部を一体成形することにより低コスト化を図ることができると同時に重量の軽量化を図ることができる。
【図面の簡単な説明】
【０００８】
【図１】本実施形態に係る給湯システムを示す概略図である。
【図２】本実施形態に係る配管接続部材を示す構成図である。
【図３】本実施形態に係る配管接続部材を示す構成図である。
【図４】本実施形態に係る配管接続部材を示す構成図である。
【発明を実施するための形態】
【０００９】
以下、本実施形態に係る配管接続部材１００について図面を参照しながら説明する。
【００１０】
図１に示すように、配管接続部材１００は電気給湯機２００の構成部品であり、入水部に設けられ、現地の水道配管と接続することができる。水道配管の水は、配管接続部材を通り電気給湯機内に供給され、ヒートポンプ式加熱機１の熱を利用して加熱され、蛇口への給湯や浴槽への注湯に利用される。
【００１１】
図２に、本発明における配管接続部材１００を示す。主弁体１０は樹脂成形品であり、主弁体１０の１次側先端に位置する一端部１１は、水道配管と接続するため雄ねじ形状をしている。配管接続部材の外周面であって、一端部１１とフランジ１６の間には強度補強部１２がある。強度補強部は、現時工事時にモンキーレンチで固定する際にこじり力が負荷されるため、十分な強度が必要となる。強度補強部１２は、他の管部に比べて大きい外径が必要であり、また、モンキーレンチで固定するため正６角形の構造をしている。強度補強部１２の各面は、成形時のヒケを防止するため肉盗みを施した蜂の巣状となっている。なお、強度補強部１２を含む主弁体１０の材質は、ガラス等を含ませ十分な強度を有する樹脂であることが好ましい。
【００１２】
強度補強部１２の側面からは、溝１４が形成され、溝１４は蓋５０締め付け装着することで溝１４の開口部を閉止する構造となっている。溝１４の開口部は雌ネジ形状となっており、蓋５０の側面が雄ネジ形状となっている。これにより、蓋５０を溝１４に締め付けることで蓋５０は固定される。溝１４と蓋５０の接合面は、Оリング５１によりシールされている。
【００１３】
蓋５０の先端には、ストレーナ５２が設けてある。ストレーナ５２は円筒型の形状をしており、水の中にゴミが含まれていた場合、水がストレーナ５２の内面から外面へ通過する際に、ゴミをストレーナ内面に留める。ストレーナ５２は、インサート成形等の手段で蓋５０に固定される。
【００１４】
ストレーナ５２の２次側には、弁棒６１とパッキン６２とバネ６３と他端部６５で構成された逆止弁６０が設けてある。常にはバネ６３の付勢力により、弁体６１に組み込まれたパッキン６２が主弁体１０のシール面１５に当接し、２次側からの逆流を防止している。弁棒６１のシャフト６４は、他端部６５の中空取り付け部６６に組み込まれ、ストローク動作を可能としている。弁棒６１は、他端部６５に組込んだ後、止め部６７により、容易に取り外しができない構造となっている。
【００１５】
ここで、逆止弁６０の中心軸である出水軸１６と、入水部中心軸である入水軸１３は、同一線上ではなく、両軸の中間位置付近にストレーナ５２の開口部５３が位置する。これにより入水部の最小面積部位５４と出水部の最小面積部位５５を広く保つことができ、配管接続部材１００の圧力損失を最小限に抑えることができる。
【００１６】
逆止弁６０は、上ピン６８と下ピン６９の２本のピンを用い、他端部６５と主弁体１０を固定する。他端部６５と主弁体１０はОリング７０によりシールされる。上ピン６８と下ピン６９は対称に主弁体に差し込むことで、主弁体に加わる繰り返し応力を拡散させ、ピン１本の場合に比べて耐久性能を向上することができる。
【００１７】
配管接続部材１００は、電気給湯機２００に固定するため、主弁体１０の外周にフランジ１６を設け、フランジ１７には数箇所のねじ締め用の空穴７０が開いている。電気給湯機２００側の板金に設けられた下穴と空穴７０の中心を合わせネジ止めし、配管接続部材１００と電気給湯機を固定する。また、電気給湯機側の板金に配管接続部材１００をはめ込む際に、前記板金には主弁体１０より若干大きい径の穴が開いており、前記穴に主弁体を通すことで、前記板金に配管接続部材１００をはめ込む。
【００１８】
この時、上ピン６８または、下ピン６９が主弁体１０の外周面から突出していると、前記板金の穴にピンが引っかかり、はめ込みができなくなってしまう。これを防止するために、本発明ではピンを主弁体１０から突出しない構造とした。
【００１９】
図３にピンの構造を示す。ピンは、中心軸７４から対称に配置された側面ストレート部７１と側面Ｒ部７２と、中央Ｒ部７３とで構成される。左右の側面Ｒ部７２が中央の他端部６５を挟み込み、さらに中央Ｒ部７３が主弁体に設けられた止め部７５に当接し、ピンの位置は固定される。中央Ｒ部７３の外径は、主弁体１０の外径と同径であり、主弁体１０から突出しない構造となっている。
【００２０】
また、主弁体の外周にはピン抜き用凹み部７５が設けてあり、凹み部７５を利用することにより、容易にピンを抜くことができる。
【００２１】
図４に配管接続部材１００の水抜き構造を示す。冬季など外気温が低下すると配管内の水が凍結し、構成部品が破損に至る場合がある。凍結を防止するための水抜き構造として、シール面１５の外周側には、水抜きをするための水抜き孔１８が設けられ、水抜き孔１８は外部へ繋がっているが、常には、バルブ１９によりその開口が閉められている。バルブ１９を開くと、シール面１５より２次側の水を抜くことができる。
【図１】
2015075207.tif 000003
【図２】
2015075207.tif 000004
【図３】
2015075207.tif 000005
【図４】
2015075207.tif 000006